(57)【要約】【課題】ピーク時における消費電力を低減することができる光ディスク装置およびその駆動方法を提供する。【解決手段】コリメータ２２からの光を光ディスクＤの任意の位置に集光して照射する対物レンズ２１とコリメータ２２とを有する光ピックアップ２０と、コリメータ２２を光軸方向Ａｓに移動させるコリメータ駆動部３２と、光ピックアップ２０を径方向に移動させる移動機構駆動部４１と、対物レンズ２１およびコリメータ２２の位置を調整する調整処理を行う駆動制御部６３とを備え、駆動制御部６３は、調整処理において、移動機構駆動部４１またはスピンドルモータ１０を停止させた後に、コリメータ駆動部３２を動作させ、コリメータ駆動部３２によるコリメータ２２の位置の調整が終了した後に、移動機構駆動部４１またはスピンドルモータ１０の動作を再開させる。【選択図】図１１
2014203478.tif 000002
【特許請求の範囲】
【請求項１】
所定の光源からの光を平行光にするコリメータと、前記コリメータからの光を光ディスクの任意の位置に集光して照射する対物レンズとを有し、前記光ディスクに記憶されたデータの読み出しを行う光ピックアップと、
前記コリメータを光軸方向に移動させるコリメータ駆動部と、
前記光ピックアップを前記光ディスクの径方向に移動させる光ピックアップ移動部と、
前記対物レンズおよび前記コリメータの位置を調整する調整処理を行う駆動制御部とを備え、
前記駆動制御部は、前記調整処理において、前記光ピックアップ移動部を停止させた後に、前記コリメータ駆動部を動作させ、前記コリメータ駆動部による前記コリメータの位置の調整が終了した後に、前記光ピックアップ移動部の動作を再開させる
光ディスク装置。
【請求項２】
所定の光源からの光を平行光にするコリメータと、前記コリメータからの光を光ディスクの任意の位置に集光して照射する対物レンズとを有し、前記光ディスクに記憶されたデータの読み出しを行う光ピックアップと、
前記コリメータを光軸方向に移動させるコリメータ駆動部と、
前記光ディスクを回転させる光ディスク回転部と、
前記対物レンズおよび前記コリメータの位置を調整する調整処理を行う駆動制御部とを備え、
前記駆動制御部は、前記調整処理において、前記光ディスク回転部を停止させた後に、前記コリメータ駆動部を動作させ、前記コリメータ駆動部による前記コリメータの位置の調整が終了した後に、前記光ディスク回転部の動作を再開させる
光ディスク装置。
【請求項３】
さらに、前記光ピックアップを前記光ディスクの径方向に移動させる光ピックアップ移動部を備え、
前記駆動制御部は、前記調整処理において、前記コリメータ駆動部を動作させる前に、前記光ピックアップ移動部を停止させ、前記コリメータ駆動部による前記コリメータの位置の調整が終了した後に、前記光ピックアップ移動部の動作を再開させる
請求項２に記載の光ディスク装置。
【請求項４】
前記駆動制御部は、前記調整処理において、前記光ピックアップから読み出された信号のデコードを行わず、前記光源からの光を前記光ディスクに照射する静止モードに移行した後に、前記コリメータ駆動部を動作させ、前記コリメータ駆動部による前記コリメータの位置の調整が終了した後に、前記静止モードを解除する
請求項１または３に記載の光ディスク装置。
【請求項５】
前記駆動制御部は、前記調整処理において、前記光源からの光を、前記光ディスクの１または複数の同じトラックに集光して照射する
請求項１または３に記載の光ディスク装置。
【請求項６】
前記駆動制御部は、前記調整処理において、前記コリメータ駆動部を動作させる前に、前記コリメータ駆動部による前記コリメータの位置の調整にかかる時間よりも長い時間、前記対物レンズが前記光ディスクの外周方向に連続して移動可能となるように、前記対物レンズを前記光ディスクの中心方向に移動させる
請求項１または３に記載の光ディスク装置。
【請求項７】
前記制御部は、前記光ディスク装置の電源入力時、あるいは、前記光ディスクの入れ替え時に、前記調整処理を行う
請求項１〜６の何れか１項に記載の光ディスク装置。
【請求項８】
温度を検出し、検出した温度を示す温度情報を出力する温度センサを備え、
前記制御部は、前記温度情報により示される温度と、前回の駆動処理の実行時の温度との差が、所定の閾値以上の場合に、前記調整処理を行う
請求項１〜７の何れか１項に記載の光ディスク装置。
【請求項９】
所定の光源からの光を平行光にするコリメータと、前記コリメータからの光を光ディスクの任意の位置に集光して照射する対物レンズとを有し、前記光ディスクに記憶されたデータの読み出しを行う光ピックアップと、
前記コリメータを光軸方向に移動させるコリメータ駆動部と、
前記光ピックアップを前記光ディスクの径方向に移動させる光ピックアップ移動部とを備える光ディスク装置において、
前記光ピックアップ移動部を停止させるステップと、
前記光ピックアップ移動部を停止させるステップの実行後に、前記コリメータ駆動部を動作させるステップと、
前記コリメータ駆動部による前記コリメータの位置の調整が終了した後に、前記光ピックアップ移動部の動作を再開させるステップとを含む
光ディスク装置の駆動方法。
【請求項１０】
所定の光源からの光を平行光にするコリメータと、前記コリメータからの光を光ディスクの任意の位置に集光して照射する対物レンズとを有し、前記光ディスクに記憶されたデータの読み出しを行う光ピックアップと、
前記コリメータを光軸方向に移動させるコリメータ駆動部と、
前記光ディスクを回転させる光ディスク回転部とを備える光ディスク装置において、
前記光ディスク回転部を停止させるステップと、
前記光ディスク回転部を停止させるステップの実行後に、前記コリメータ駆動部を動作させるステップと、
前記コリメータ駆動部による前記コリメータの位置の調整が終了した後に、前記光ディスク回転部の動作を再開させるステップとを含む
光ディスク装置の駆動方法。
【発明の詳細な説明】
【技術分野】
【０００１】
本発明は、光ディスク装置および光ディスク装置の駆動方法に関する。
【背景技術】
【０００２】
光ディスク装置は、例えば、例えば、ＤＶＤ（Ｄｉｇｉｔａｌ  Ｖｅｒｓａｔｉｌｅ  Ｄｉｓｃ）あるいはＢＤ（Ｂｌｕ−ｒａｙ（登録商標）  Ｄｉｓｃ）等、１または複数種類のメディアに対するデータの読み出しおよび書き込みを行う装置である。光ディスク装置は、例えば、光ディスクの回転を制御するスピンドルモータおよびスピンドルモータ駆動部、光ディスクに記憶されたデータの読み出しを行う光ピックアップ、および、光ディスク装置を構成する各部を制御する制御部等を備えて構成されている。
【先行技術文献】
【特許文献】
【０００３】
【特許文献１】特開２００７−２３４０８４号公報
【発明の概要】
【発明が解決しようとする課題】
【０００４】
ところが、光ディスク装置では、さらなるピーク時の消費電力の低減が求められている。
【０００５】
そこで、本発明は、上記課題を解決するためになされたものであって、消費電力を低減させることができる光ディスク装置を提供することを目的とする。
【課題を解決するための手段】
【０００６】
上記目的を達成するために、本発明の一態様に係る光ディスク装置は、所定の光源からの光を平行光にするコリメータと、前記コリメータからの光を光ディスクの任意の位置に集光して照射する対物レンズとを有し、前記光ディスクに記憶されたデータの読み出しを行う光ピックアップと、前記コリメータを光軸方向に移動させるコリメータ駆動部と、前記光ピックアップを前記光ディスクの径方向に移動させる光ピックアップ移動部と、前記対物レンズおよび前記コリメータの位置を調整する調整処理を行う駆動制御部とを備え、前記駆動制御部は、前記調整処理において、前記光ピックアップ移動部を停止させた後に、前記コリメータ駆動部を動作させ、前記コリメータ駆動部による前記コリメータの位置の調整が終了した後に、前記光ピックアップ移動部の動作を再開させる。
【０００７】
上記構成の光ディスク装置では、消費電力の非常に大きいコリメータ駆動部が動作している期間以外の期間に、光ピックアップ移動部を動作させるので、消費電力のピークを抑えることが可能になる。
【０００８】
上記目的を達成するために、本発明の一態様に係る光ディスク装置は、所定の光源からの光を平行光にするコリメータと、前記コリメータからの光を光ディスクの任意の位置に集光して照射する対物レンズとを有し、前記光ディスクに記憶されたデータの読み出しを行う光ピックアップと、前記コリメータを光軸方向に移動させるコリメータ駆動部と、前記光ディスクを回転させる光ディスク回転部と、前記対物レンズおよび前記コリメータの位置を調整する調整処理を行う駆動制御部とを備え、前記駆動制御部は、前記調整処理において、前記光ディスク回転部を停止させた後に、前記コリメータ駆動部を動作させ、前記コリメータ駆動部による前記コリメータの位置の調整が終了した後に、前記光ディスク回転部の動作を再開させる。
【０００９】
上記構成の光ディスク装置では、消費電力の非常に大きいコリメータ駆動部が動作している期間以外の期間に、光ディスク回転部を動作させるので、消費電力のピークを抑えることが可能になる。
【００１０】
また、さらに、前記光ピックアップを前記光ディスクの径方向に移動させる光ピックアップ移動部を備え、前記駆動制御部は、前記調整処理において、前記コリメータ駆動部を動作させる前に、前記光ピックアップ移動部を停止させ、前記コリメータ駆動部による前記コリメータの位置の調整が終了した後に、前記光ピックアップ移動部の動作を再開させても良い。
【００１１】
上記構成の光ディスク装置では、消費電力の非常に大きいコリメータ駆動部が動作している期間以外の期間に、光ディスク回転部および光ピックアップ移動部を動作させるので、消費電力のピークをさらに抑えることが可能になる。
【００１２】
また、前記駆動制御部は、前記調整処理において、前記光ピックアップから読み出された信号のデコードを行わず、前記光源からの光を前記光ディスクに照射する静止モードに移行した後に、前記コリメータ駆動部を動作させ、前記コリメータ駆動部による前記コリメータの位置の調整が終了した後に、前記静止モードを解除しても良い。
【００１３】
また、前記駆動制御部は、前記調整処理において、前記光源からの光を、前記光ディスクの１または複数の同じトラックに集光して照射しても良い。
【００１４】
また、前記駆動制御部は、前記調整処理において、前記コリメータ駆動部を動作させる前に、前記コリメータ駆動部による前記コリメータの位置の調整にかかる時間よりも長い時間、前記対物レンズが前記光ディスクの外周方向に連続して移動可能となるように、前記対物レンズを前記光ディスクの中心方向に移動させても良い。
【００１５】
また、前記制御部は、前記光ディスク装置の電源入力時、あるいは、前記光ディスクの入れ替え時に、前記調整処理を行っても良い。
【００１６】
また、温度を検出し、検出した温度を示す温度情報を出力する温度センサを備え、前記制御部は、前記温度情報により示される温度と、前回の駆動処理の実行時の温度との差が、所定の閾値以上の場合に、前記調整処理を行っても良い。
【００１７】
上記目的を達成するために、本発明の一態様に係る光ディスク装置の駆動方法は、所定の光源からの光を平行光にするコリメータと、前記コリメータからの光を光ディスクの任意の位置に集光して照射する対物レンズとを有し、前記光ディスクに記憶されたデータの読み出しを行う光ピックアップと、前記コリメータを光軸方向に移動させるコリメータ駆動部と、前記光ピックアップを前記光ディスクの径方向に移動させる光ピックアップ移動部とを備える光ディスク装置において、前記光ピックアップ移動部を停止させるステップと、前記光ピックアップ移動部を停止させるステップの実行後に、前記コリメータ駆動部を動作させるステップと、前記コリメータ駆動部による前記コリメータの位置の調整が終了した後に、前記光ピックアップ移動部の動作を再開させるステップとを含む。
【００１８】
上記目的を達成するために、本発明の一態様に係る光ディスク装置の駆動方法は、所定の光源からの光を平行光にするコリメータと、前記コリメータからの光を光ディスクの任意の位置に集光して照射する対物レンズとを有し、前記光ディスクに記憶されたデータの読み出しを行う光ピックアップと、前記コリメータを光軸方向に移動させるコリメータ駆動部と、前記光ディスクを回転させる光ディスク回転部とを備える光ディスク装置において、前記光ディスク回転部を停止させるステップと、前記光ディスク回転部を停止させるステップの実行後に、前記コリメータ駆動部を動作させるステップと、前記コリメータ駆動部による前記コリメータの位置の調整が終了した後に、前記光ディスク回転部の動作を再開させるステップとを含む。
【００１９】
なお、本発明は、光ディスク装置の駆動方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２０】
本発明によると、ピーク時の消費電力を低減させることができる光ディスク装置およびその駆動方法を提供することができる。
【図面の簡単な説明】
【００２１】
【図１】光ディスク装置の構成の一例を示すブロック図
【図２】実施の形態１の光ディスク装置におけるマウント処理の処理手順の一例を示すフローチャート
【図３】実施の形態１における対物レンズおよび光ピックアップの位置の推移と、消費電力の推移との関係とを示すグラフ
【図４】実施の形態１の光ディスク装置における温度補正処理の処理手順の一例を示すフローチャート
【図５】従来の光ディスク装置における対物レンズおよび光ピックアップの位置の推移と、消費電力の推移との関係とを示すグラフ
【図６】実施の形態１の光ディスク装置のマウント処理における、光ピックアップ移動機構およびコリメータ駆動部の駆動電流の電流波形を示すグラフ
【図７】実施の形態１の光ディスク装置における温度補正処理における、光ピックアップ移動機構およびコリメータ駆動部の駆動電流の電流波形を示すグラフ
【図８】実施の形態２の光ディスク装置におけるマウント処理の処理手順の一例を示すフローチャート
【図９】実施の形態２における対物レンズおよび光ピックアップの位置の推移と、消費電力の推移との関係とを示すグラフ
【図１０】実施の形態２の光ディスク装置における温度補正処理の処理手順の一例を示すフローチャート
【図１１】実施の形態３の光ディスク装置におけるマウント処理の処理手順の一例を示すフローチャート
【図１２】実施の形態４における対物レンズおよび光ピックアップの位置の推移と、消費電力の推移との関係とを示すグラフ
【図１３】実施の形態４の光ディスク装置における温度補正処理の処理手順の一例を示すフローチャート
【発明を実施するための形態】
【００２２】
以下、本発明の実施の形態について、図面を用いて詳細に説明する。なお、各図は、必ずしも各寸法や各寸法比等を厳密に図示したものではない。
【００２３】
また、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２４】
（実施の形態１）
実施の形態１の光ディスク装置について、図１〜図４を基に説明する。
【００２５】
本実施の形態の光ディスク装置は、光ピックアップの駆動にかかる消費電力のピークを抑えるため、消費電力の大きいコリメータの駆動期間以外の期間に、光ピックアップ移動機構を駆動するように制御する。
【００２６】
［１−１．光ディスク装置の構成］
光ディスク装置１００の構成について、図１を基に説明する。図１は、光ディスク装置１００の構成を示すブロック図である。
【００２７】
光ディスク装置１００は、図１に示すように、
（１）光ディスクの回転およびその制御を行うスピンドルモータ１０およびスピンドルモータ駆動部１１と、
（２）光ディスクに記憶されたデータの読み出しを行う光ピックアップ２０と、
（３）光ピックアップ２０を構成する光学部材の駆動を制御する光ピックアップ駆動部３０および信号生成部３４と、
（４）光ピックアップ２０の径方向Ａｒの移動を制御する光ピックアップ移動機構４０および移動機構駆動部４１（光ピックアップ移動部）と、
（５）温度センサ５０と、
（６）光ディスク装置１００を構成する各部を制御する制御部６０とを備えている。
【００２８】
（１）スピンドルモータ１０は、光ディスク回転部の一例であり、光ディスクＤを回転させるための機構である。スピンドルモータ１０は、ターンテーブルに連結されている。ターンテーブルは、光ディスクＤの再生時または記録時において、光ディスクＤを載置する部材であり、スピンドルモータ１０の駆動に応じて回転する。光ディスクＤの再生時または記録時において、光ディスクＤを載置した状態でターンテーブルを回転させることにより、光ディスクＤを回転させることができる。
【００２９】
スピンドルモータ駆動部１１は、制御部６０からの制御に応じて、スピンドルモータ１０に駆動電流を供給することにより、スピンドルモータ１０を駆動する。
【００３０】
（２）光ピックアップ２０は、光ディスクＤの情報記憶面ＲＳに光を照射し、反射された光を受光することにより、情報記憶面ＲＳに記録されたデータを読み取る光学部材で構成されている。なお、光ピックアップ２０は、光ディスクＤにデータを書き込む機能を備えていてもよい。
【００３１】
また、図示しないが、光ピックアップ２０は、光ディスク装置１００内に設けられた２本のガイドシャフトで支持されており、ガイドシャフトを伝って移動可能である。ガイドシャフトは、径方向Ａｒに向けて配置されており、これにより、光ピックアップ２０は、径方向Ａｒに移動可能となっている。
【００３２】
光ピックアップ２０は、光学部材として、図１に示すように、対物レンズ２１と、コリメータ２２と、ビームスプリッタ２３と、ＬＤ（半導体レーザ）２４と、光検出部（図示せず）とを備えている。
【００３３】
対物レンズ２１は、コリメータ２２を介して照射されるＬＤ２４からの光を、情報記憶面ＲＳ上の任意の位置に集光して照射する部材であり、径方向Ａｒおよび光軸方向Ａｓに移動可能に構成されている。フォーカスの調整のため、対物レンズ２１の光軸方向Ａｓの位置が調整される。光ディスクＤのトラック（溝）に光を集光させるため、対物レンズ２１の径方向Ａｒの位置が調整される。なお、本実施の形態では、対物レンズ２１は、径方向Ａｒの移動について、中心側の所定位置（以下、「中心位置」と称する）からトレース側の所定位置（以下、「トレース位置」と称する）まで、トラック４つ分の移動が可能である場合を例に説明する。
【００３４】
コリメータ２２は、対物レンズ２１における球面収差を補正するための部材であり、光軸方向Ａｓに移動可能に構成されている。コリメータ２２は、ビームスプリッタ２３を介して照射されるＬＤ２４からの光を、コリメートする（平行光にする）。コリメータ２２を光軸方向Ａｓに移動させ、コリメータ２２と対物レンズ２１との距離を調整することで、対物レンズ２１に入射する光の収束および発散の度合い（光の平行度）を調整することができる。これにより、球面収差の影響を抑制可能になる。
【００３５】
ビームスプリッタ２３は、ＬＤ２４から照射された光を透過させてコリメータ２２に照射する。また、ビームスプリッタ２３は、光ディスクＤから反射され、対物レンズ２１およびコリメータ２２を介して入射される光を、ＦＢ信号生成部３４に入射させる。
【００３６】
ＬＤ２４は、光源の一例であり、光を出射する部材である。
【００３７】
光検出部（図示せず）は、情報記憶面ＲＳで反射した光を受光して光電変換し、制御部６０に出力する。
【００３８】
（３）光ピックアップ駆動部３０は、光学部材の調整を行うように構成されており、ＴＤ駆動部３１と、コリメータ駆動部３２と、ＬＤ駆動部３３とを備えている。
【００３９】
ＴＤ駆動部３１は、後述する信号生成部３４から出力されるフォーカスエラー（ＦＥ）信号およびトラッキングエラー（ＴＥ）信号を用いて、対物レンズ２１の径方向Ａｒおよび光軸方向Ａｓの移動を制御する。ＴＤ駆動部３１は、対物レンズ２１を径方向Ａｒに駆動するための駆動電流と、光軸方向Ａｓに駆動するための駆動電流を生成する。
【００４０】
コリメータ駆動部３２は、コリメータ２２を駆動するための駆動電流を生成しコリメータ２２に出力することにより、コリメータ２２の光軸方向Ａｓの移動を制御する。
【００４１】
ＬＤ駆動部３３は、ＬＤ２４を駆動するための駆動電流を生成し、ＬＤ２４に供給する。
【００４２】
信号生成部３４は、光検出部（図示せず）から出力される電気信号を用いて、ＲＦ信号、ＦＥ信号およびＴＥ信号等を生成し、制御部６０に出力する。
【００４３】
（４）光ピックアップ移動機構４０は、光ピックアップ駆動部の一例であり、例えば、ガイドシャフトに平行に設けられたリードスクリュー（送りネジ、図示せず）と、リードスクリューの凹凸部分に噛み合い、リードスクリューの回転に伴って移動するティース部材で構成されている。ティース部材は、光ピックアップ２０に設けられており、ティース部材が移動することにより、光ピックアップ２０がガイドシャフトに沿って移動する。
【００４４】
移動機構駆動部４１は、制御部６０からの信号に応じて、光ピックアップ移動機構４０を構成するリードスクリューの回転を制御する。
【００４５】
（５）温度センサ５０は、本実施の形態では、サーミスタである。温度センサ５０は、常時温度を計測し、制御部６０に温度情報を出力する。
【００４６】
（６）制御部６０は、ＣＰＵ（Ｃｅｎｔｒａｌ  Ｐｒｏｃｅｓｓｉｎｇ  Ｕｎｉｔ）等を用いて構成され、後述する記憶部６４に記憶された制御プログラムを実行することにより、光ディスク装置１００を構成する各部を制御する。
【００４７】
制御部６０は、図１に示すように、再生処理部６１と、記録処理部６２と、駆動制御部６３と、記憶部６４とを備えている。
【００４８】
再生処理部６１は、信号生成部３４から出力されたＲＦ信号をデコードし、外部に出力する。出力先の機器としては、例えば、液晶ディスプレイあるいはＴＶ等の映像を再生する機能を有する機器、スピーカ等の音声を出力する機能を備える機器、あるいは、ＰＣ（Ｐｅｒｓｏｎａｌ  ｃｏｍｐｕｔｅｒ）等が考えられる。
【００４９】
記録処理部６２は、外部から入力されたデータを符号化し、光ピックアップ２０に出力して、光ディスクＤに当該データの書き込みを行わせる。
【００５０】
駆動制御部６３は、信号生成部３４から出力されるＲＦ信号、ＦＥ信号およびＴＲ信号、および、温度センサ５０から出力される温度情報に基づいて、スピンドルモータ駆動部１１、光ピックアップ駆動部３０および移動機構駆動部４１等を制御する。駆動制御部６３の詳細については、後述する。
【００５１】
記憶部６４は、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）を備えている。ＲＡＭには、制御部６０における各種制御に必要なパラメータ等が一時的に記憶される。ＲＯＭには、上述した制御プログラムが記憶されている。
【００５２】
［１−２．光ディスク装置の動作］
光ディスク装置１００の動作について、図２〜図４を基に説明する。
【００５３】
ここでは、光ディスク装置１００における対物レンズ２１およびコリメータ２２の位置の調整を含む調整処理について説明する。本実施の形態では、調整処理として、光ディスクＤを入れ替えた場合あるいは電源投入時等に、光ディスクＤに応じて行う処理（マウント処理）と、温度の変化を検出したときに行う温度補正処理とについて説明する。
【００５４】
［１−２−１．マウント処理］
光ディスク装置１００のマウント処理について、図２および図３を基に説明する。
【００５５】
図２は、マウント処理の処理手順を示すフローチャートである。
【００５６】
図３は、対物レンズ２１および光ピックアップ２０の位置の推移と、消費電力の推移との関係とを示すグラフである。図３の（ａ）は、光ピックアップ２０内における対物レンズ２１の位置の推移を示している。図３の（ｂ）は、光ディスク装置１００内における光ピックアップ２０の位置の推移を示している。図３の（ｃ）は、消費電力の推移を示しており、図中、Ｗｃは、コリメータ２２の駆動にかかる消費電力を、Ｗｓは、光ピックアップ移動機構４０の駆動（光ピックアップ２０の移動）にかかる消費電力を、Ｗａは、コリメータ２２および光ピックアップ２０を除く構成にかかる消費電力をそれぞれ示している。
【００５７】
図３の時間ｔ０において、マウント処理が開始されると、駆動制御部６３は、対物レンズ２１のフォーカス調整およびトラッキング制御、光ピックアップ２０の移動（以下、適宜「スレッドの駆動」と称する）を開始する（図２のＳ１０１）。駆動制御部６３は、現在の温度およびディスクの厚みに応じて、対物レンズ２１のフォーカス調整およびトラッキング制御を行う。
【００５８】
このとき、駆動制御部６３は、対物レンズ２１を、図３の（ａ）に示すように、光ディスクＤのトラックの位置に追従して、トレース側（光ディスクＤの外周側）に移動させている。なお、図３（ｂ）では、説明のため、時間ｔ０〜ｔ１の間、光ピックアップ２０の位置が同じに記載されている。但し、実際には、光ピックアップ２０のトレース方向の位置決め等、光ピックアップ２０の位置は変化する。このときの光ディスク装置１００の消費電力は、光ピックアップ２０の移動にかかる消費電力Ｗｓ＋その他の消費電力Ｗａとなる。
【００５９】
図３の時間ｔ１になると、駆動制御部６３は、ＳｔｉｌｌＯｎモードに移行する（図２のＳ１０２）。ここで、ＳｔｉｌｌＯｎモードとは、再生処理部６１によるＲＦ信号の読み出し（デコード）を行わず、ＬＤ２４からの光を光ディスクＤに照射するモードである。駆動制御部６３は、ＳｔｉｌｌＯｎモードでは、ＬＤ２４からの光を、光ディスクＤの１または複数の同じトラックに集光して照射するように、光ピックアップ移動機構４０およびＴＤ駆動部３１を制御する。
【００６０】
ＳｔｉｌｌＯｎモードの間（図３の時間ｔ１〜ｔ４）、駆動制御部６３は、対物レンズ２１に対し、図３の（ａ）に示すように、光ディスクＤの同じトラックに集光するように、トレース側の位置ｒ２への移動と中心側の位置ｒ３への移動とを繰り返させる。なお、ここでは、１トラック分の移動を行う場合を示しているが、これに限るものではない。図３（ａ）に示すように、位置ｒ２は、中心位置ｒ０とトレース位置ｒ１との間にあり、位置ｒ３は、位置ｒ２と中心位置ｒ０との間にある。つまり、駆動制御部６３は、一定周期で、対物レンズ２１を、中心側の位置ｒ３に戻している。また、駆動制御部６３は、ＳｔｉｌｌＯｎモードの間、光ピックアップ２０を移動させない。このときの光ディスク装置１００の消費電力は、光ピックアップ２０の移動にかかる消費電力Ｗｓ＋その他の消費電力Ｗａとなる。
【００６１】
図３の時間ｔ２になると、駆動制御部６３は、移動機構駆動部４１を制御して、光ピックアップ移動機構４０の駆動を停止し（図２のＳ１０３、光ピックアップ移動部を停止させるステップ）、コリメータ２２の位置の調整を行う（Ｓ１０４、コリメータ駆動部を動作させるステップ）。ここで、コリメータ２２の位置は、例えば、光ディスクＤ上での光の集光度が、一定の範囲内となるように調整する。駆動制御部６３は、光ディスクＤから反射される光を受け付けるＦＢ信号生成部３４からの信号（ＴＥ信号、ＦＥ信号等）に基づいて、集光度が一定の範囲内であるか否かを求めることができる。
【００６２】
コリメータ２２の駆動の間（図３の時間ｔ２〜ｔ３）の消費電力は、コリメータ２２の駆動にかかる消費電力Ｗｃ＋その他の消費電力Ｗａとなる。
【００６３】
コリメータ２２の調整が終了し、駆動が停止すると（図３の時間ｔ３）、駆動制御部６３は、光ピックアップ移動機構４０の駆動を再開することにより、光ピックアップ２０の移動を再開する（図２のＳ１０５、光ピックアップ移動部の動作を再開させるステップ）。さらに、図３の時間ｔ４において、ＳｔｉｌｌＯｎモードを終了する（図２のＳ１０６）。
【００６４】
時間ｔ４のＳｔｉｌｌＯｎモードの終了後、駆動制御部６３は、他の機構に対する調整を行う（Ｓ１０７）。このとき、駆動制御部６３は、対物レンズ２１に対し、トレース位置ｒ１への移動と中心位置ｒ０への移動とを繰り返させる。さらに、駆動制御部６３は、例えば、時間ｔ５に示すように、対物レンズ２１がトレース位置まで移動すると、光ピックアップ２０をトレース方向に移動させる。
【００６５】
このときの光ディスク装置１００の消費電力は、光ピックアップ２０の移動にかかる消費電力Ｗｓ＋その他の消費電力Ｗａとなる。
【００６６】
以上説明したように、マウント処理における光ディスク装置１００の消費電力のピークの値は、図３の（ｃ）に示すように、コリメータ２２の駆動にかかる消費電力Ｗｃ＋その他の消費電力Ｗａとなる。
【００６７】
［１−２−２．温度補正処理］
光ディスク装置１００の温度補正処理について、図４を基に説明する。
【００６８】
図４は、温度補正処理の処理手順を示すフローチャートである。
【００６９】
ここで、対物レンズ２１は、例えば、光学樹脂で形成されている場合、対物レンズ２１の周囲の温度が変化することにより、屈折率が変化し、球面収差が生じる。このため、温度の変化が一定以上になると、コリメータ２２の位置を補正して、屈折率の変化による球面収差を抑制するための温度補正処理を行っている。
【００７０】
なお、温度補正処理は、本実施の形態では、温度センサ５０からの温度情報に基づき、前回の光ピックアップ２０の調整時の温度から１０℃変化する毎に行われる。なお、温度補正処理を行うタイミングは、温度が１０℃変化する毎に限られるものではない。温度補正処理では、対物レンズ２１のチルト量の再調整、および、コリメータ２２の位置の再調整等を行う。
【００７１】
制御部６０の駆動制御部６３は、温度補正処理が開始されると、前回の光ピックアップ２０の調整時の温度と現在の温度とを用いて、コリメータ２２の駆動量（移動量）を算出する（Ｓ１１１）。コリメータ２２の移動量は、例えば、光ディスクＤ上での光の集光度が、一定の範囲内に収まるように算出する。
【００７２】
駆動制御部６３は、再生処理部６１によるＲＦ信号の読み出し（デコード）を停止して、ＳｔｉｌｌＯｎモードに移行する（Ｓ１１２）。
【００７３】
駆動制御部６３は、光ピックアップ移動機構４０による光ピックアップ２０の移動を停止させる（Ｓ１１３、光ピックアップ移動部を停止させるステップ）。
【００７４】
Ｓ１１１〜Ｓ１１３における光ディスク装置１００の消費電力は、光ピックアップ２０の移動にかかる消費電力Ｗｓ＋その他の消費電力Ｗａとなる。
【００７５】
駆動制御部６３は、光ピックアップ２０の移動停止後、コリメータ２２を駆動させる（Ｓ１１４、コリメータ駆動部を動作させるステップ）。
【００７６】
このときの光ディスク装置１００の消費電力は、コリメータの駆動にかかる消費電力Ｗｃ＋その他の消費電力Ｗａとなる。
【００７７】
駆動制御部６３は、光ピックアップ移動機構４０による光ピックアップ２０の移動を再開し（Ｓ１１５、光ピックアップ移動部の動作を再開させるステップ）、ＳｔｉｌｌＯｎモードを終了させる（Ｓ１１６）。
【００７８】
なお、温度補正処理においても、コリメータ２２の駆動と、スレッドの駆動とは同時に行われないため、光ディスク装置１００の消費電力のピークの値は、図３の（ｃ）に示すように、コリメータ２２の駆動にかかる消費電力Ｗｃ＋その他の消費電力Ｗａとなる。
【００７９】
［１−３．まとめ等］
本実施の形態の光ディスク装置１００は、消費電力の大きいコリメータ２２の駆動期間以外の期間に、光ピックアップ移動機構４０を動作させる。このため、図３の（ｃ）に示すように、光ディスク装置１００の消費電力のピークの値は、コリメータ２２の駆動にかかる消費電力Ｗｃ＋その他の消費電力Ｗａとなる。
【００８０】
ここで、図５は、従来の光ディスク装置における、光ピックアップを構成する対物レンズの位置の推移、光ピックアップの位置の推移、および、消費電力の推移を示している。対物レンズは、図５の（ａ）に示すように、光ディスクのトラックに追従して、トレース位置ｒ１への移動と中心位置ｒ０への移動とを繰り返している。光ピックアップは、図５の（ｂ）に示すように、対物レンズがトレース位置ｒ１まで移動すると、トレース方向に移動する（時間ｔ２およびｔ４）。
【００８１】
従来の光ディスク装置の消費電力のピークの値は、図５の（ｃ）に示すように、スレッドの駆動にかかる消費電力Ｗｓ＋コリメータ２２の駆動にかかる消費電力Ｗｃ＋その他の消費電力Ｗａとなる。
【００８２】
つまり、本実施の形態の光ディスク装置１００では、スレッド駆動にかかる消費電力Ｗｓ分、ピークの値を低減できる。
【００８３】
また、図６は、本実施の形態の光ディスク装置１００において、マウント処理を実行したときの消費電力の推移を実際に測定した結果を示している。図７は、本実施の形態の光ディスク装置１００において、温度補正処理を実行したときの消費電力の推移を実際に測定した結果を示している。
【００８４】
図６および図７において、実線は、スレッドの駆動（光ピックアップ移動機構４０の駆動）に用いられる駆動電流（図６および図７では単に「電流」と表記）の電流波形を示している。図６および図７において、実線のピーク付近が、スレッドが駆動している期間であり、実線の底部付近が、スレッドが停止している期間に対応する。図６および図７から分かるように、コリメータ２２の駆動は、スレッドが停止している期間に行われており、スレッドの駆動における駆動電流のピークが抑えられていることが分かる。
【００８５】
なお、コリメータ２２の駆動にかかる消費電力Ｗｃは、例えば、８．５Ｗである。光ピックアップ２０の移動にかかる消費電力Ｗｓは、例えば、７．５Ｗである。コリメータ２２および光ピックアップ２０を除く構成にかかる消費電力Ｗａは、例えば、２Ｗである。
【００８６】
この場合、従来の光ディスク装置の消費電力のピークの値は、１８Ｗであるのに対し、本実施の形態の光ディスク装置１００の消費電力のピークの値は、１０．５Ｗとなり、消費電力のピークの値が抑えられていることが分かる。
【００８７】
（実施の形態２）
実施の形態２の光ディスク装置について、図８〜図１０を基に説明する。
【００８８】
本実施の形態では、実施の形態１とは、駆動制御部６３による対物レンズ２１および光ピックアップ移動機構４０（光ピックアップ２０）の駆動方法が異なる場合について説明する。
【００８９】
なお、本実施の形態の光ディスク装置の構成は、駆動制御部６３による駆動方法が異なる以外は、図１に示す光ディスク装置１００と同じである。
【００９０】
［２−１．光ディスク装置の動作］
光ディスク装置１００の動作について、図８〜図１０を基に説明する。
【００９１】
本実施の形態では、実施の形態１と同様に、光ディスク装置１００の調整処理として、マウント処理と、温度補正処理とについて説明する。
【００９２】
［２−１−１．マウント処理］
本実施の形態における光ディスク装置１００のマウント処理について、図８および図９を基に説明する。
【００９３】
図８は、マウント処理の処理手順を示すフローチャートである。なお、図２に示す実施の形態１と同じステップについては、同じ符号を割り当てている。
【００９４】
図９は、対物レンズ２１および光ピックアップ２０の位置の推移と、消費電力の推移との関係とを示すグラフである。図９の（ａ）は、光ピックアップ２０内における対物レンズ２１の位置の推移を示している。図９の（ｂ）は、光ディスク装置１００内における光ピックアップ２０の位置の推移を示している。図９の（ｃ）は、消費電力の推移を示している。
【００９５】
図９の時間ｔ０において、マウント処理が開始されると、駆動制御部６３は、対物レンズ２１のフォーカス調整およびトラッキング制御、光ピックアップ２０の移動（以下、適宜「スレッドの駆動」と称する）を開始する（図２のＳ１０１）。駆動制御部６３は、実施の形態１と同様に、現在の温度およびディスクの厚みに応じて、対物レンズ２１のフォーカス調整およびトラッキング制御を行う。
【００９６】
このとき、駆動制御部６３は、対物レンズ２１を、図９の（ａ）に示すように、光ディスクＤのトラックの位置に追従して、トレース側（光ディスクＤの外周側）に移動させている。このときの光ディスク装置１００の消費電力は、光ピックアップ２０の移動にかかる消費電力Ｗｓ＋その他の消費電力Ｗａとなる。
【００９７】
図９の時間ｔ１になると、駆動制御部６３は、対物レンズ２１を中心側の位置ｒ４に移動させる（図２のＳ２０１）。ここで、位置ｒ４は、中心位置ｒ０よりもさらに中心側に設定されている。位置ｒ４は、対物レンズ２１の中心側の物理的な限界位置であってもよい。
【００９８】
このように対物レンズ２１を移動させることにより、中心位置ｒ０とトレース位置ｒ１との間の距離＜位置ｒ４とトレース位置ｒ１との間の距離であるため、対物レンズ２１の移動距離を長くすることができる。すなわち、光ピックアップ２０が次に駆動するまでの期間を長くすることができる。
【００９９】
このときの光ディスク装置１００の消費電力は、光ピックアップ２０の移動にかかる消費電力Ｗｓ＋その他の消費電力Ｗａとなる。
【０１００】
駆動制御部６３は、対物レンズ２１を位置ｒ４に移動させた後（図９の時間ｔ１）、移動機構駆動部４１を制御して、光ピックアップ移動機構４０の駆動を停止し（図８のＳ１０３、図９の時間ｔ２）、コリメータ２２の駆動を行う（図８のＳ１０４、図９の時間ｔ２〜ｔ３）。上述したように、ステップＳ２０１で対物レンズ２１を位置ｒ４に移動させ、光ピックアップ２０が次に駆動するまでの期間を長くしたことから、光ピックアップ２０が次に移動するまでに、コリメータ２２の調整を終えることが可能になる。位置ｒ４は、コリメータ２２の位置の調整にかかる時間よりも長い時間、対物レンズ２１をトレース側に連続して移動可能となるように設定する。つまり、（ｒ１−ｒ４）／対物レンズ２１の移動速度＞コリメータ２２の駆動期間となるように設定する。
【０１０１】
このときの光ディスク装置１００の消費電力は、コリメータ２２の駆動にかかる消費電力Ｗｃ＋その他の消費電力Ｗａとなる。
【０１０２】
駆動制御部６３は、コリメータ２２の調整が終了した後は（図９の時間ｔ３）、光ピックアップ移動機構４０の駆動を開始することにより、光ピックアップ２０の移動を開始し（図８のＳ１０５）、対物レンズ２１の位置を調整する（Ｓ２０２）。さらに、駆動制御部６３は、他の機構に対する調整を行う（Ｓ１０７）。
【０１０３】
このときの光ディスク装置１００の消費電力は、光ピックアップ２０の移動にかかる消費電力Ｗｓ＋その他の消費電力Ｗａとなる。
【０１０４】
以上説明したように、マウント処理における光ディスク装置１００の消費電力のピークの値は、図９の（ｃ）に示すように、コリメータ２２の駆動にかかる消費電力Ｗｃ＋その他の消費電力Ｗａとなる。
【０１０５】
［２−１−２．温度補正処理］
光ディスク装置１００の温度補正処理について、図１０を基に説明する。
【０１０６】
図１０は、温度補正処理の処理手順を示すフローチャートである。なお、図４に示す実施の形態１と同じステップについては、同じ符号を割り当てている。
【０１０７】
なお、温度補正処理は、実施の形態１と同様に、温度センサ５０からの温度情報に基づき、前回の光ピックアップ２０の調整時の温度から１０℃変化する毎に行われる。なお、温度補正処理を行うタイミングは、温度が１０℃変化する毎に限られるものではない。温度補正処理では、対物レンズ２１のチルト量の再調整、および、コリメータ２２の位置の再調整等を行う。
【０１０８】
制御部６０の駆動制御部６３は、温度補正処理が開始されると、前回の光ピックアップ２０の調整時の温度と現在の温度とを用いて、コリメータ２２の駆動量（移動量）を算出する（Ｓ１１１）。さらに、駆動制御部６３は、対物レンズ２１を中心側の位置ｒ４に移動させる（Ｓ２１１）。駆動制御部６３は、対物レンズ２１を位置ｒ４に移動させた後、スレッドの駆動を停止する（Ｓ１１３）。
【０１０９】
このときの光ディスク装置１００の消費電力は、光ピックアップ２０の移動にかかる消費電力Ｗｓ＋その他の消費電力Ｗａとなる。
【０１１０】
駆動制御部６３は、光ピックアップ２０の移動停止後、コリメータ２２を駆動させる（Ｓ１１４）。
【０１１１】
このときの光ディスク装置１００の消費電力は、コリメータ２２の駆動にかかる消費電力Ｗｃ＋その他の消費電力Ｗａとなる。
【０１１２】
駆動制御部６３は、光ピックアップ移動機構４０による光ピックアップ２０の移動を再開し（Ｓ１１５）、対物レンズ２１の位置を調整する（Ｓ２１２）。
【０１１３】
このときの光ディスク装置１００の消費電力は、光ピックアップ２０の移動にかかる消費電力Ｗｓ＋その他の消費電力Ｗａとなる。
【０１１４】
なお、本実施の形態の温度補正処理においても、コリメータ２２の駆動と、スレッドの駆動とは同時に行われないため、光ディスク装置１００の消費電力のピークの値は、図９の（ｃ）に示すように、コリメータ２２の駆動にかかる消費電力Ｗｃ＋その他の消費電力Ｗａとなる。
【０１１５】
［２−２．まとめ等］
本実施の形態の光ディスク装置１００は、対物レンズ２１を中心位置ｒ０より中心側の位置ｒ４に移動させた後に、消費電力の大きいコリメータ２２を駆動させる。これにより、コリメータ２２の駆動期間中に、光ピックアップ２０を駆動させる必要を無くし、光ピックアップ移動機構４０の駆動を停止させることが可能になる。
【０１１６】
従って、図９の（ｃ）に示すように、本実施の形態の光ディスク装置１００の消費電力のピークの値は、コリメータ２２の駆動にかかる消費電力Ｗｃ＋その他の消費電力Ｗａとなる。
【０１１７】
上述したように、従来の光ディスク装置の消費電力のピークの値は、図５の（ｃ）に示すように、スレッドの駆動にかかる消費電力Ｗｓ＋コリメータ２２の駆動にかかる消費電力Ｗｃ＋その他の消費電力Ｗａとなる。
【０１１８】
つまり、本実施の形態の光ディスク装置１００においても、実施の形態１の光ディスク装置１００と同様に、スレッド駆動にかかる消費電力Ｗｓ分、ピークの値を低減できる。
【０１１９】
（実施の形態３）
実施の形態３の光ディスク装置について、図１１〜図１３を基に説明する。
【０１２０】
本実施の形態では、実施の形態１における駆動制御部６３による対物レンズ２１および光ピックアップ移動機構４０（光ピックアップ２０）の駆動に加え、スピンドルモータ１０の駆動を制御する場合について説明する。
【０１２１】
なお、本実施の形態の光ディスク装置の構成は、駆動制御部６３によるスピンドルモータ１０の駆動方法が異なる以外は、図１に示す光ディスク装置１００と同じである。
【０１２２】
［３−１．光ディスク装置の動作］
光ディスク装置１００の動作について、図１１〜図１３を基に説明する。
【０１２３】
本実施の形態では、実施の形態１と同様に、光ディスク装置１００の調整処理として、マウント処理と、温度補正処理とについて説明する。
【０１２４】
［３−１−１．マウント処理］
本実施の形態における光ディスク装置１００のマウント処理について、図１１および図１２を基に説明する。
【０１２５】
図１１は、マウント処理の処理手順を示すフローチャートである。なお、図２に示す実施の形態１と同じステップについては、同じ符号を割り当てている。
【０１２６】
図１２は、対物レンズ２１および光ピックアップ２０の位置の推移と、消費電力の推移との関係とを示すグラフである。図１２の（ａ）は、光ピックアップ２０内における対物レンズ２１の位置の推移を示している。図１２の（ｂ）は、光ディスク装置１００内における光ピックアップ２０の位置の推移を示している。図１２の（ｃ）は、消費電力の推移を示している。
【０１２７】
図１２の時間ｔ０において、マウント処理が開始されると、駆動制御部６３は、対物レンズ２１のフォーカス調整およびトラッキング制御、光ピックアップ２０の移動を開始する（図１１のＳ１０１）。駆動制御部６３は、実施の形態１と同様に、現在の温度およびディスクの厚みに応じて、対物レンズ２１のフォーカス調整およびトラッキング制御を行う。
【０１２８】
図１２の時間ｔ１になると、駆動制御部６３は、再生処理部６１によるＲＦ信号の読み出し（デコード）を行わず、ＬＤ２４からの光を光ディスクＤに照射するＳｔｉｌｌＯｎモード（静止モード）に移行する（図１１のＳ１０２）。
【０１２９】
ＳｔｉｌｌＯｎモードにおいて、駆動制御部６３は、スピンドルモータ駆動部１１を制御して、スピンドルモータ１０の駆動を停止する（図１１のＳ３０１、図１２の時間ｔ２、光ディスク回転部を停止させるステップ）。なお、ここでの駆動の停止は、スピンドルモータ１０への駆動電流の供給を止めることを意味し、スピンドルモータ１０、ひいては、光ディスクＤの回転を停止させるという意味ではない。すなわち、スピンドルモータ１０への駆動電流の供給を停止しても、光ディスクＤの回転は直には停止せず、次第に回転速度が落ちていく。本実施の形態では、この点に着目して、コリメータ２２の駆動時には、スピンドルモータ１０の駆動を停止し、光ディスクＤの回転速度がコリメータ２２の調整が可能な程度に確保されている間に、コリメータ２２の調整を行う。
【０１３０】
このときの光ディスク装置１００の消費電力は、スピンドルモータ１０の駆動にかかる消費電力をＷｐとすると、Ｗｓ＋Ｗａ−Ｗｐとなる。
【０１３１】
さらに、駆動制御部６３は、移動機構駆動部４１を制御して、光ピックアップ移動機構４０の駆動を停止し（図１１のＳ１０３）、コリメータ２２の位置の調整を行う（Ｓ１０４、図１２の時間ｔ３、コリメータ駆動部を動作させるステップ）。
【０１３２】
このときの光ディスク装置１００の消費電力は、Ｗｃ＋Ｗａ−Ｗｐとなる。
【０１３３】
コリメータ２２の調整が終了し、駆動が停止すると、駆動制御部６３は、光ピックアップ移動機構４０の駆動を再開することにより、光ピックアップ２０の移動を再開する（図１１のＳ１０５、図１２の時間ｔ４）。
【０１３４】
このときの光ディスク装置１００の消費電力は、Ｗｓ＋Ｗａ−Ｗｐとなる。
【０１３５】
さらに、駆動制御部６３は、スピンドルモータ駆動部１１の駆動を再開し（図１１のＳ３０２、図１２の時間ｔ５、光ディスク回転部の動作を再開させるステップ）、ＳｔｉｌｌＯｎモードを終了する（図１１のＳ１０６）。
【０１３６】
時間ｔ５のＳｔｉｌｌＯｎモードの終了後、駆動制御部６３は、他の機構に対する調整を行う（Ｓ１０７）。このとき、駆動制御部６３は、対物レンズ２１に対し、トレース位置ｒ１への移動と中心位置ｒ０への移動とを繰り返させる。さらに、駆動制御部６３は、例えば、時間ｔ６に示すように、対物レンズ２１がトレース位置まで移動すると、光ピックアップ２０をトレース方向に移動させる。
【０１３７】
このときの光ディスク装置１００の消費電力は、Ｗｓ＋Ｗａとなる。
【０１３８】
以上説明したように、マウント処理における光ディスク装置１００の消費電力のピークの値は、図１２の（ｃ）に示すように、コリメータ２２の駆動にかかる消費電力Ｗｃ＋その他の消費電力Ｗａ−スピンドルモータ駆動部１１の消費電力Ｗｐとなる。
【０１３９】
［３−１−２．温度補正処理］
本実施の形態の光ディスク装置１００の温度補正処理について、図１３を基に説明する。
【０１４０】
図１３は、温度補正処理の処理手順を示すフローチャートである。なお、図４に示す実施の形態１と同じステップについては、同じ符号を割り当てている。
【０１４１】
なお、温度補正処理は、実施の形態１と同様に、温度センサ５０からの温度情報に基づき、前回の光ピックアップ２０の調整時の温度から１０℃変化する毎に行われる。なお、温度補正処理を行うタイミングは、温度が１０℃変化する毎に限られるものではない。温度補正処理では、対物レンズ２１のチルト量の再調整、および、コリメータ２２の位置の再調整等を行う。
【０１４２】
制御部６０の駆動制御部６３は、温度補正処理が開始されると、前回の光ピックアップ２０の調整時の温度と現在の温度とを用いて、コリメータ２２の駆動量（移動量）を算出する（Ｓ１１１）。
【０１４３】
駆動制御部６３は、再生処理部６１によるＲＦ信号の読み出し（デコード）を停止して、ＳｔｉｌｌＯｎモードに移行する（Ｓ１１２）。
【０１４４】
駆動制御部６３は、スピンドルモータ駆動部１１により、スピンドルモータ１０の駆動を停止させる（Ｓ３１１、光ディスク回転部を停止させるステップ）。
【０１４５】
駆動制御部６３は、光ピックアップ移動機構４０による光ピックアップ２０の移動を停止させる（Ｓ１１３）。
【０１４６】
Ｓ１１１〜Ｓ１１３における光ディスク装置１００の消費電力は、光ピックアップ２０の移動にかかる消費電力Ｗｓ＋その他の消費電力Ｗａ−スピンドルモータ１０の駆動にかかる消費電力Ｗｐとなる。
【０１４７】
駆動制御部６３は、光ピックアップ２０の移動停止後、コリメータ２２を駆動させる（Ｓ１１４、コリメータ駆動部を動作させるステップ）。
【０１４８】
このときの光ディスク装置１００の消費電力は、コリメータの駆動にかかる消費電力Ｗｃ＋その他の消費電力Ｗａとなる。
【０１４９】
駆動制御部６３は、光ピックアップ移動機構４０による光ピックアップ２０の移動を再開し（Ｓ１１５）、スピンドルモータ１０への駆動電流の供給を再開し（Ｓ３１２、光ディスク回転部の動作を再開させるステップ）、ＳｔｉｌｌＯｎモードを終了させる（Ｓ１１６）。
【０１５０】
なお、温度補正処理においても、コリメータ２２の駆動と、スレッドの駆動およびスピンドルモータの駆動とは同時に行われないため、光ディスク装置１００の消費電力のピークの値は、図３の（ｃ）に示すように、コリメータ２２の駆動にかかる消費電力Ｗｃ＋その他の消費電力Ｗａとなる。
【０１５１】
［３−２．まとめ等］
本実施の形態の光ディスク装置１００は、消費電力の非常に大きいコリメータ駆動部３２が動作している期間以外の期間に、スピンドルモータ１０および光ピックアップ移動機構４０を動作させるので、消費電力のピークを低減できる。なお、本実施の形態における光ディスク装置１００の消費電力のピークの値は、コリメータ２２の駆動にかかる消費電力Ｗｃ＋その他の消費電力Ｗａ−スピンドルモータ１０の駆動にかかる消費電力Ｗｐとなる。
【０１５２】
なお、本実施の形態では、コリメータ２２を駆動させる期間に、スピンドルモータ１０の駆動の停止と、スレッドの駆動（光ピックアップ移動機構４０の駆動）の停止とを両方実行したが、スピンドルモータ１０の駆動のみ停止させても良い。
【０１５３】
また、本実施の形態の光ディスク装置の駆動方法は、実施の形態１のスレッドの駆動方法に、スピンドルモータ１０を停止させる方法を組み合わせたが、本実施の形態２の対物レンズ２１およびスレッドの駆動方法に、本実施の形態のスピンドルモータ１０を停止させる方法を組み合わせてもよい。
【０１５４】
また、本実施の形態では、スピンドルモータ１０の駆動を停止した後に、スレッドの駆動を停止したが、スレッドの駆動を停止した後に、スピンドルモータ１０の駆動を停止してもよい。
【０１５５】
（別実施の形態）
以上、本発明の実施の形態に係る光ディスク装置について説明したが、本発明は、この実施の形態に限定されるものではない。
【０１５６】
（１）上記実施の形態の光ディスク装置は、光ピックアップが、複数のメディアに対応するために、複数の光学部材を備えていても良い。この場合、複数のコリメータの駆動期間をずらして、同時に複数のコリメータが駆動しないように構成し、さらに、コリメータが駆動されていない期間に、コリメータ以外の光学部材の駆動を行うことで、消費電力のピークを抑制可能である。
【０１５７】
（２）また、上記の光ディスク装置の制御部６０は、ＣＰＵおよび記憶部で構成されるとしたが、これに限られるものではない。例えば、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１５８】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１５９】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１６０】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１６１】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１６２】
また、本発明は、上記コンピュータプログラムまたは上記デジタル信号を、電気通信回線、無線または有線通信回線、インターネットを代表とするネットワーク、データ放送等を経由して伝送するものとしても良い。
【０１６３】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１６４】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１６５】
さらに、上記実施の形態及び上記変形例をそれぞれ組み合わせるとしても良い。
【産業上の利用可能性】
【０１６６】
本発明は、ＤＶＤあるいはＢＤ等の光ディスク装置に有用である。
【符号の説明】
【０１６７】
１０    スピンドルモータ
１１    スピンドルモータ駆動部
２０    光ピックアップ
２１    対物レンズ
２２    コリメータ
２３    ビームスプリッタ
２４    ＬＤ
３０    光ピックアップ駆動部
３１    ＴＤ駆動部
３２    コリメータ駆動部
３３    ＬＤ駆動部
３４    信号生成部
４０    光ピックアップ移動機構
４１    移動機構駆動部
５０    温度センサ
６０    制御部
６１    再生処理部
６２    記録処理部
６３    駆動制御部
６４    記憶部
１００  光ディスク装置
Ｄ      光ディスク
ＲＳ    情報記憶面
【図１】
2014203478.tif 000003
【図２】
2014203478.tif 000004
【図３】
2014203478.tif 000005
【図４】
2014203478.tif 000006
【図５】
2014203478.tif 000007
【図６】
2014203478.tif 000008
【図７】
2014203478.tif 000009
【図８】
2014203478.tif 000010
【図９】
2014203478.tif 000011
【図１０】
2014203478.tif 000012
【図１１】
2014203478.tif 000013
【図１２】
2014203478.tif 000014
【図１３】
2014203478.tif 000015